(57)【要約】【課題】発光部４を回動し、閃光を天井に向けて照射するバウンス撮影の機能が公知であるが、発光装置が大型化する傾向にある。一方で発光部４の前に鏡を設け、簡易的にバウンス撮影を可能とした構成が提案されているが、通常の被写体を直接的に照射して撮影を行う時にはこの鏡が邪魔となっていた。【解決手段】ポップアップ式の発光装置において、外観を構成し開閉自在な反射部材７と、反射部材７を閉じ方向に付勢する引張りバネ１９と、反射部材７を開き状態に保持するロック部材２０とを備える。そして発光部４が収納位置にあり、且つ反射部材７が開き状態にある場合、反射部材７が光軸方向に照射された閃光を天井へ反射することを特徴とする。また通常の直接照射撮影では、発光部４のポップアップと連動してロック部材２０を退避させ、反射部材７を自動で閉じることを特徴とする。【選択図】図３
2016206570.tif 000002
【特許請求の範囲】
【請求項１】
閃光を光軸方向へ照射する発光部４と、前記発光部４の被写体側に近接して配置され、開閉自在に保持された反射部材７と、を備え、
前記発光部４は、撮像装置１内部に収納された第一の位置と、撮像装置１外部に突出した第二の位置とを、光軸方向と直交する方向に移動可能であり、
前記反射部材７は、閉じ状態において、外観面の少なくとも一部を構成する発光装置であって、
前記発光部４が前記第一の位置にあり、且つ前記反射部材７が開き状態である場合、前記反射部材７は、前記発光部４から照射された閃光を、光軸方向とは異なる方向へ反射することを特徴とする発光装置。
【請求項２】
前記反射部材７を閉じ方向に付勢する弾性部材１９と、前記反射部材７を開き状態に保持するロック部材２０と、を備え、
前記発光部４が前記第一の位置から前記第二の位置へ移動する際、前記発光部４は前記ロック部材２０を退避させ、前記弾性部材１９は前記反射部材７を開き状態から閉じ状態へ移動させることを特徴とする請求項１に記載の発光装置。
【請求項３】
前記発光部４と一体的に移動する第一のプリズム５と、前記発光部４と前記反射部材７との間に配置された第二のプリズム８と、を備え、
前記発光部４が前記第一の位置にあり、且つ前記反射部材７が開き状態である場合、前記発光部４は前記反射部材７へ対して、前記第一のプリズム５及び前記第二のプリズム８を介して照射することを特徴とする請求項１又は請求項２に記載の発光装置。
【請求項４】
前記発光部４が前記第一の位置にあり、且つ前記反射部材７が閉じ状態である場合、前記反射部材７は前記第一のプリズム５及び前記第二のプリズム８を覆うことを特徴とする請求項１乃至請求項３の何れか一項にに記載の発光装置。
【請求項５】
前記ロック部材２０は、少なくとも３つの異なる位置に移動するものであって、
前記発光部４が前記第一の位置にあり、且つ前記反射部材７が閉じ状態である場合は空振り位置に、
前記発光部４が前記第一の位置にあり、且つ前記反射部材７が開き状態である場合はロック位置に、
前記発光部４が前記第二の位置にあり、且つ前記反射部材７が閉じ状態である場合は退避位置に、それぞれ移動することを特徴とする請求項１乃至請求項４の何れか一項に記載の発光装置。
【請求項６】
前記ロック部材２０の位置を検出する検出手段２２を備え、
前記検出手段２２は、前記ロック部材２０が前記ロック位置もしくは前記退避位置にない場合に、発光禁止と判定することを特徴とする請求項１乃至請求項５の何れか一項に記載の発光装置。
【請求項７】
前記反射部材７は、光軸方向と直交する方向のレンズ部２側に、前記反射部材７と一体的に開閉する遮光面７ｅを備えることを特徴とする請求項１乃至請求項６の何れか一項に記載の発光装置。
【請求項８】
前記外装カバー３が金属材料から成る撮像装置であって、
前記反射部材７の少なくとも一部は、前記外装カバー３と同一の金属材料であり、その裏面側に研磨処理またはメッキ処理を施して構成されることを特徴とする請求項１乃至請求項７の何れか一項に記載の撮像装置。
【請求項９】
前記ロック部材２０を付勢する弾性部材２１を備え、
前記発光部４が前記第一の位置から前記第二の位置へ移動する際、前記発光部４の押圧部４ｂが、前記弾性部材２１の付勢力に抗って、前記ロック部材２０を前記退避位置まで押圧することを特徴とする請求項１乃至請求項８の何れか一項に記載の撮像装置。
【請求項１０】
前記発光部４が前記第一の位置にある場合、前記ロック部材２０の前記弾性部材２１は、前記ロック部材２０を介して前記発光部４の押圧部４ｂを付勢し、前記発光部４を片寄せすることを特徴とする請求項１乃至請求項９の何れか一項に記載の撮像装置。
【発明の詳細な説明】
【技術分野】
【０００１】
本発明は、発光装置を内蔵したカメラに関し、特に被写体を直接的に照射して撮影を行う直接照射撮影と、閃光を被写体とは異なる他の物体に照射し、その反射光で被写体を間接的に照射するバウンス撮影とを選択可能な構成に関する。
【背景技術】
【０００２】
近年、よりワイドな画界が撮影できるズームレンズや、より明るい開放Ｆ値をもつ大口径レンズが、比較的小型なカメラ本体にも搭載されるようになってきている。このようなカメラでは、レンズ部の繰出し量や直径が大きくなる。そこでプリズムからの閃光がレンズ部に遮られないように、発光部を移動してカメラ本体の外部に突出させる、所謂ポップアップ式の内蔵ストロボ装置が広く普及している。
【０００３】
一方、高付加価値を有したストロボ装置として、カメラ本体の上面に配設されたアクセサリーシューに装着し、閃光を天井へ向けて照射することによって、バウンス撮影を可能とした外付けストロボ装置が知られている。こうしたストロボ装置は、バウンス撮影の機能を備えることで大型化する傾向にある。そのため一般的に、この機能は外付けストロボ装置に限定されていた。
【０００４】
そこで、ポップアップ式のストロボ装置を内蔵したカメラに、バウンス撮影の機能を付与する構成がこれまで提案されてきた。
【０００５】
特許文献１は、照射する向きを可変な発光部と、その可変動作に連動して反射する向きを可変な反射部とを備えるものである。発光部と反射部との連動は、発光部側に第一のピニオンを、反射部側に第二のピニオンを備え、それぞれをラックで噛み合わせることによって行っている。
【０００６】
また特許文献２は、光軸と平行な第一状態と、平行でない第二状態とに照射方向を変更できるストロボ装置において、第一の可動反射板と、第二の可動反射板とで光通路を形成するものである。更に、第一の可動反射板に設けられたフォロワーピンと、側板に設けられたカム溝とを嵌合させることで、ポップアップと同時に光通路を形成する構成となっている。
【先行技術文献】
【特許文献】
【０００７】
【特許文献１】特開2010-224266号公報
【特許文献２】特開平9-61899号公報
【発明の概要】
【発明が解決しようとする課題】
【０００８】
しかしながら、特許文献１の構成では、ピニオンとラックを使用するなど、構成が複雑である。また、発光部の角度を変更すると、それに伴って配光角が変化してしまう。そのため、特に通常の直接照射撮影において、画界へ対して正確に照射しようとすると、発光部の角度を高い精度で保持しなければならない。
【０００９】
また特許文献２の構成についても、カム溝を使ってミラーを移動させる必要があるために、構成が複雑化している。更に特許文献１と同様に、第一状態と第二状態とで発光部の角度を変更させることで、配光角が狂ってしまう恐れがある。
【００１０】
そこで、本発明は、ポップアップ式の発光装置を内蔵したカメラに、バウンス撮影の機能を付与するとともに、配光角の精度を維持しつつ、省スペースな発光装置を提供することを目的とする。
【課題を解決するための手段】
【００１１】
上記の目的を達成するために、本発明の発光装置は、閃光を光軸方向へ照射する発光部と、発光部の被写体側に近接して配置され、開閉自在に保持された反射部材とを備えた。また発光部は、撮像装置内部に収納された第一の位置と、撮像装置外部に突出した第二の位置とを、光軸方向と直交する方向に移動可能であり、反射部材は、閉じ状態において、外観面の少なくとも一部を構成するものである。そして発光部が第一の位置にあり、且つ反射部材が開き状態である場合、反射部材が、発光部から照射された閃光を、光軸方向とは異なる方向へ反射することを特徴とした。
【発明の効果】
【００１２】
本発明によれば、発光部の角度がバウンス撮影でも直接照射撮影でも変化しないため、
画界へ対して正確に照射することが可能である。また反射部材が、閉じ状態において外観面の少なくとも一部を構成するため、別途収納スペースを確保する必要がない。こうして、配光角の精度を維持しつつ、省スペースな発光装置を提供できる。
【図面の簡単な説明】
【００１３】
【図１】ストロボ収納位置におけるカメラ本体の前面側の斜視図
【図２】直接照射位置におけるカメラ本体の前面側の斜視図
【図３】間接照射位置におけるカメラ本体の前面側の斜視図
【図４】ストロボ収納位置におけるストロボユニット全体を示す斜視図（ａ）前面側の斜視図（ｂ）背面側の斜視図
【図５】直接照射位置におけるストロボユニット全体を示す斜視図（ａ）前面側の斜視図（ｂ）背面側の斜視図
【図６】間接照射位置におけるストロボユニット全体を示す斜視図（ａ）前面側の斜視図（ｂ）背面側の斜視図
【図７】間接照射位置における発光部の構造図（ａ）正面図（ｂ）Ｓ１−Ｓ１断面図（ｃ）Ｓ２−Ｓ２断面図
【図８】ストロボ収納位置におけるストロボユニットの一部を示す拡大図（ａ）側面図（ｂ）正面図（ｃ）Ｓ３−Ｓ３断面図
【図９】直接照射位置におけるストロボユニットの一部を示す拡大図（ａ）側面図（ｂ）正面図（ｃ）Ｓ３−Ｓ３断面図
【図１０】間接照射位置におけるストロボユニットの一部を示す拡大図（ａ）側面図（ｂ）正面図（ｃ）Ｓ３−Ｓ３断面図
【発明を実施するための形態】
【００１４】
以下に、本発明の好ましい実施の形態を、添付の図面に従って詳細に説明する。各図面を通して同一符号は、同一または対応部分を示すものである。また、請求項に記載の構成部品を用いる限りは、本実施形態の構成のみに限定するものではなく、その要旨の範囲内で種々の変形及び変更が可能である。
【００１５】
図１から図３はカメラ本体の前面側の斜視図である。図１はストロボの発光部をカメラ本体内部に収納した状態を示している。一方の図２は発光部をカメラ本体から突出するように露出させて、被写体を直接的に照射する状態を、また図３は天井の反射光を利用して、被写体を間接的に照射する状態を示している。
【００１６】
１はカメラ本体であり、２はレンズ部、３は外装カバーである。４は発光部で、５は第一のプリズム、６は操作レバーである。ここで図１に有るように、左右方向つまり水平方向をｘ、上下方向つまり鉛直方向をｙ、光軸方向つまりカメラ本体１の厚み方向をｚとし、ｚ方向における被写体側を前面側、撮影者側を背面側として説明する。
【００１７】
図１の状態から操作レバー６を矢印Ａの方向にスライドさせると、後述するロックが解除され、発光部４が光軸方向と直交する鉛直上方向に直線的に移動し、外装カバー３から第一のプリズム５が露出して図２の状態へ至る。本実施形態では、発光部４を図１の収納位置から図２の直接照射位置まで移動させる手段として、バネ部材を用いている。この方式は、発光部５を少ない部品点数で瞬時に移動させることができるため、低コスト化と省スペース化の観点でメリットがあり、操作性にも優れている。
【００１８】
一般的に発光部４の移動方式には、本実施形態で示すような鉛直方向に直線的に移動する直進タイプの他に、水平なｘ方向の軸を中心に回動して発光部４を移動させる回動タイプがある。しかしながら回動タイプの場合、発光部４の移動量をカメラ本体１の厚み分よりも大きくすることは困難である。複数の水平な軸を使用し、折り畳むように収納して移動量を拡大する構成が公知ではあるが、構造が複雑で高価になりやすい。また前述のように発光部４を回動させると、それに伴って配光角が変化してしまうため、回転方向で高い停止精度が要求される。
【００１９】
これに対して図２に示す直進タイプは、回動タイプと比較して、カメラ本体１の薄型化を実現するのに好適である。更に発光部４の角度が常に一定であるため、画界へ対して正確な角度で照射することが可能である。
【００２０】
図３において、７は、発光部４の前面側に近接して配置され、発光部５から照射された閃光を天井へ向けて反射する反射部材である。反射部材７は、詳しくは後述するが、カメラ本体１の前面側の外観面７ａと、表面処理によって得られる鏡面７ｂと、遮光面を有する側面部７ｃとで構成される。外観面７ａと鏡面７ｂとは、金属の板状部材のそれぞれ表面及び裏面として形成されており、樹脂材料から成る側面部７ｃに対して一体的に固定されている。側面部７ｃは、外装カバー３に対して開閉自在なように回動軸で保持されており、その上面側に突起７ｄが設けられている。
【００２１】
反射部材７は、ユーザーが突起７ｄを引っ張ることで、図１の閉じ状態から図３の開き状態へと回動してロックされる。撮影が終了した後は、再びユーザーが反射部材７を押して逆方向に回動させることで、ロックが外れて図１に示す閉じ状態となる。
【００２２】
８は、第一のプリズム５から照射される閃光を集光し、反射部材７へ導く第二のプリズムである。第二のプリズム５は、カメラ本体１に固定されているものであって、発光部４の移動や反射部材７の回動とは連動しない。
【００２３】
ここで図３に示す発光部４は、図１の状態と同じように、カメラ本体１内部に収納された位置で保持されている。更に反射部材７は、外装カバー３に対して回動し、開いた状態で保持されている。この状態で、第一のプリズム５から閃光が照射されると、その閃光は第二のプリズム８を通過して一旦集光され、近接する反射部材７の鏡面７ｂで反射した後、略鉛直上方向へ向かって天井を照射する。こうして、天井の反射光で被写体を間接的に照射するバウンス撮影が可能となる。
【００２４】
ところで、図３でバウンス撮影が終了した後、続けて図２の直接照射撮影を行う場合には、反射部材７を再び閉じ状態まで回動させる必要がある。これは、発光部４が図２に示す直接照射位置に移動したとき、仮に反射部材７が開き状態でロックされたままだと、画界へ向けて照射された閃光の一部が反射部材７に遮られてしまい、撮影画像に意図しない影が発生する恐れがあるためである。
【００２５】
そこで、本実施形態は、発光部４をポップアップさせ、直接照射位置まで移動させると、それと連動して後述する反射部材７のロックが外れ、図２の閉じ状態に至る構成となっている。
【００２６】
また従来の構成では、発光部４の前に着脱可能な鏡を配置したものが公知であったが、バウンス撮影後に続けて直接照射撮影を行おうとすると、外した鏡の取り扱いや収納スペースの確保などで不都合があった。
【００２７】
これに対し本実施形態では、待機状態や直接照射撮影では図１や図２に示すように、反射部材７が閉じることで、外装カバー３と同一の外観面を構成する。つまり、反射部材７を外すことがなく、別途収納スペースを確保する必要もないため、従来の着脱可能な構成に対して取り扱いが容易で、省スペースである。
【００２８】
更に待機状態では図１のように、反射部材７が発光部５を覆うカバー部材としての役割を担っている。そして、第一のプリズム５や第二のプリズム８が傷ついたり破損したりするのを防ぎ、埃の進入や汚れの付着から発光部４を保護している。
【００２９】
また更に、外装カバー３がアルミニウム合金等の金属材料から成る場合、外観面７ａも同一の材質で構成すると、アルマイト染色や塗装などのカバー同士の色合わせ工程が容易となるため好適である。
【００３０】
図４から図６はストロボユニット全体を示す斜視図である。図４（ａ）はストロボ収納位置における前面側を示しており、図４（ｂ）は背面側を示している。また図５（ａ）は直接照射位置における前面側を示しており、図５（ｂ）は背面側を示している。更に図６（ａ）は間接照射位置における前面側を示しており、図６（ｂ）は背面側を示している。尚、図４は図１に、図５は図２に、また図６は図３にそれぞれ対応している。
【００３１】
９は電力を供給するコンデンサであり、１０は回路基板である。コンデンサ９や回路基板１０は、不図示の配線材を介し、発光する為の電気回路を形成している。また１１は、反射部材７の回転軸を備え、且つ第二のプリズム８やコンデンサ９、回路基板１０などの構成部品を保持するベース部材である。ベース部材１１は、カメラ本体１内部の不図示のシャーシに対して固定可能である。そして図６に示すように、第二のプリズム８とベース部材１１とが、発光部４を前後から覆うように保持し、鉛直方向に直線的に移動可能なようにガイドしている。
【００３２】
１２は、発光部４をストロボ収納位置で規制するロック部材である。ロック部材１２は、ベース部材１１に対して水平方向にスライドできるように保持されており、ロック位置と退避位置とで移動可能である。また１３は、ロック部材１２をロック方向に常に付勢している圧縮バネである。
【００３３】
１４は、発光部４の移動手段であるところの引張りバネである。引張りバネ１４は、一方の端部をベース部材１１の一部であるフック部１１ａに係止され、もう一方の端部を発光部４に設けられたフック部４ａに係止されている。引張りバネ１４は引張りコイルバネで、図４及び図６で示すストロボ収納位置で最も伸ばされた状態となっている。
【００３４】
このとき発光部４を鉛直上方向に移動させようとするバネの力は、ロック部材１２に形成された不図示のロック部が、発光部４の不図示のストッパー部と当接することによって押さえられている。そして発光部４は、図４及び図６のようにカメラ本体１内部に収納された状態で保持されている。
【００３５】
本実施形態では、操作レバー６とロック部材１２とがお互いに接する不図示の斜面で摺動し、操作レバー６とロック部材１２とが連動する。そのため図５に示すように、操作レバー６を矢印Ａの方向にスライドさせると、ロック部材１２が矢印Ｂの方向に、ロック位置から退避位置へと移動する。
【００３６】
こうしてロック部材１２と不図示のストッパー部との係合が外れると、引張りバネ１４の張力が解放され、図４から図５の状態へ発光部４が鉛直上方向に移動する。その後、操作レバー６及びロック部材１２は、圧縮バネ１３の作用によってそれぞれ元の位置に復帰し、図５の状態に至る。
【００３７】
尚、直接照射位置にある発光部４は、ユーザーがその上面をカメラ本体１内に押し込むことによって、ストロボ収納位置への移動が可能である。このとき、発光部４の不図示のストッパー部がロック部材１２の不図示の斜面と当接し、圧縮バネ１３の付勢に抗ってロック部材１２を退避させる。その後、発光部４の不図示のストッパー部とロック部材１２とが再び係合し、引張りバネ１４が伸びた状態でストロボ収納位置に規制される。
【００３８】
図７は間接照射位置における発光部４の拡大図であり、本発明の特徴の一つである第二のプリズム８の作用を詳細に示す構造図である。図７（ａ）は発光部４の正面図であり、図７（ｂ）は図７（ａ）におけるＳ１−Ｓ１断面図であり、図７（ｃ）はＳ２−Ｓ２断面図である。
【００３９】
１５は、発光源であるところのキセノン管であり、１６は、キセノン管１５に対し背面側から当接するように配置された反射笠である。キセノン管１５の両端には、それぞれキセノン管ゴム１７が圧入されている。キセノン管ゴム１７は、キセノン管１５の端子部を絶縁する役割と、キセノン管１５を反射笠１６に付勢する役割とを担っている。１８はトリガーコイルであり、不図示の配線材によって、コンデンサ９と反射笠１６とに電気的に接続されている。
【００４０】
キセノン管１５で発生した閃光は、反射笠１６によって、そのほとんどが前面側へ向かう。ここで第一のプリズム５は、入射面と射出面とを備え、キセノン管１５及び反射笠１６から前面側へ向かった閃光を、所望の配光角となるよう集光する。これによって、図２に示す直接照射位置において、画界へ対して正確な角度で照射することが可能となる。
【００４１】
ところが、図７に示す間接照射においては、より小さな鏡面７ｂでより多くの閃光を天井へ向けて反射させるため、可能な限り閃光を集光したほうが好ましい。そこで本実施形態では、間接照射位置で第一のプリズム５を通過した閃光を更に集光するため、より集光効率の高い第二のプリズム８を備えている。このとき、第二のプリズム８と、第一のプリズム５と、キセノン管１５と、反射笠１６とは、それぞれ前面側から順番に積層するようにして配置された状態である。
【００４２】
第二のプリズム８から照射された閃光は、反射部材７の鏡面７ｂによって略鉛直上向きに反射させられる。本実施形態では、アルミニウム合金の板状部材の裏面側を研磨し、更に透明アルマイトを施すことで鏡面７ｂを形成している。これは前述した外観面７ａにおける外観上のメリットに加え、閃光に対する耐熱性に優れるためである。この他にも、金属の板状部材の裏面にメッキ処理を施したり、高輝度で耐熱性を有するシート材を貼り付けたりする構成が考えられるが、本発明はその詳細を限定するものではない。
【００４３】
また反射部材７の側面部７ｃには、遮光面７ｅが設けられている。遮光面７ｅには、開いた状態で鉛直方向と平行になるように、細かな遮光線が刻まれている。これは鏡面７ｂもしくは天井へ向かうべき閃光が、意図せず被写体側やレンズ部２側へ漏れだすのを防ぐための壁として機能する。
【００４４】
次に、請求項に記載の構成部品とその動作について、詳細に説明する。図８から図１０は、反射部材７におけるロック機構を示した構造図である。図８（ａ）はストロボ収納位置における側面図であり、図８（ｂ）は図８（ａ）の正面図、図８（ｃ）は図８（ｂ）におけるＳ３−Ｓ３断面図である。図９（ａ）は直接照射位置における側面図であり、図９（ｂ）は図９（ａ）の正面図、図９（ｃ）は図９（ｂ）におけるＳ３−Ｓ３断面図である。また図１０（ａ）は直接照射位置における側面図であり、図１０（ｂ）は図１０（ａ）の正面図、図１０（ｃ）は図１０（ｂ）におけるＳ３−Ｓ３断面図である。尚、図８は図１に、図９は図２に、また図１０は図３にそれぞれ対応している。
【００４５】
１９は、ベース部材１１と反射部材７との間で掛けられ、反射部材７を常に閉じ方向に付勢する引張りバネである。２０は、反射部材７を開き状態に保持するロック部材であり、２１は、ロック部材２０を常にロック方向に付勢する圧縮バネである。また７ｆは、引張りバネ１９のバネ掛け部であり、７ｇは、ロック部材２０の係合部である。１１ｂは、ベース部材１１に対して圧入された金属シャフトであり、反射部材７と嵌合することで、反射部材７を外装カバー３に対して開閉自在に保持する回動軸である。
【００４６】
図８（ｃ）に示すストロボ収納位置では、反射部材７は引張りバネ１９の作用によって閉じ状態のまま付勢されており、ロック部材２０は圧縮バネ２１によって反射部材７の係合部７ｇに乗り上げた、空振り位置にある。これに対して図１０（ｃ）に示す間接照射位置では、係合部７ｇがロック部材２０と係合し、引張りバネ１９の付勢力に抗って、反射部材７を開き状態に保持している。このときロック部材２０は、圧縮バネ２１の付勢力に抗って、空振り位置から係合部７ｇを乗り越えてｚ方向に移動し、ロック位置で係止されている。
【００４７】
図１０（ｃ）の状態から、発光部４をポップアップさせ直接照射位置まで移動させると、図９（ｃ）に示すように、ロック部材２０が退避位置まで更に押し込まれる構成となっている。これは、発光部４に設けられた押圧部４ｂが、ポップアップの勢いで上昇してきた際、ロック部材２０の傾斜面と当接して摺動することにより、圧縮バネ２１を更に圧縮させて、ロック部材２０を退避させるためである。
【００４８】
ロック部材２０が退避すると、反射部材７は引張りバネ１９の作用によって、図１０（ｃ）に示す開き状態から、図９（ｃ）に示す閉じ状態へと移動する。こうして発光部４のポップアップと連動させて、反射部材７を閉じることが可能となる。
【００４９】
尚、反射部材７を、図１０（ｃ）の開き状態から図８（ｃ）の閉じ状態へ移動させる場合は、ユーザーが側面部７ｃを押すことで、ロック部材２０が圧縮バネ２１の付勢力に抗って係合部７ｇを乗り越えるように退避し、係合が外れる構成となっている。
【００５０】
２２は、検知手段であるところの検知スイッチであり、２０ａは、ロック部材２０に設けられた検知部である。ロック部材２０が図８（ａ）に示す空振り位置にあるとき、検知スイッチ２２はＯＦＦ状態であるのに対し、図１０（ａ）に示すロック位置では、検知スイッチ２２は検知部２０ａと一緒に押し込まれ、回動軸２２ａを中心に回動してＯＮ状態になっている。
【００５１】
またロック部材２０が図９（ａ）に示す退避位置にあるときは、検知部２０ａが更に押し込まれており、図１０（ａ）と同様にスイッチがＯＮ状態となっている。
【００５２】
発光部４が収納位置にあり、且つ反射部材７が閉じ状態にある図８の場合に発光部４を発光させてしまうと、被写体に閃光が届かないばかりか、発光部４やカメラ本体１が高温となる。また組立不良や部品の破損等で、仮に検知スイッチ２２が空振りした場合にも、不用意にストロボが発光するのを防がなければならない。
【００５３】
そのため本実施形態では、図１０もしくは図９の状態となり、検知スイッチ２２が確実にＯＮ状態とならない限りは、ストロボの発光を禁止する制御となっている。
【００５４】
尚、発光部４が図８や図１０の収納位置から図９の直接照射位置に移動する際、発光部４は、ベース部材１１に設けられた不図示のストッパー部に衝突することで停止する。そのため従来は、このときの衝撃によって衝突音や振動音、反響音が発生し、ユーザーに不快感を与えてしまう恐れがあった。
【００５５】
それに対して本実施形態では、発光部４のポップアップの勢いによって、ロック部材２０が押圧部４ｂと当接し摺動しながら退避位置まで押し込まれる。そのため、圧縮バネ２１の付勢力や検知スイッチ２２の復帰力が発光部４のブレーキとして作用し、ポップアップの衝撃を緩和することができる。
【００５６】
また図９の直接照射位置では、ロック部材２０が圧縮バネ２１の付勢力によって、発光部４を前面側に片寄せする。これにより直接照射位置において、発光部４が傾きなく安定した姿勢で保持されることになり、画界へ対して更に正確に照射することが可能となる。
【符号の説明】
【００５７】
１  カメラ本体、２  レンズ部、３  外装カバー、４  発光部、４ａ  フック部、
４ｂ  押圧部、５  第一のプリズム、６  操作レバー、７  反射部材、７ａ  外観面、
７ｂ  鏡面、７ｃ  側面部、７ｄ  突起、７ｅ  遮光面、７ｆ  バネ掛け部、
７ｇ  係合部、８  第二のプリズム、９  コンデンサ、１０  回路基板、
１１  ベース部材、１１ａ  フック部、１１ｂ  回動軸、１２  ロック部材、
１３  圧縮バネ、１４  引張りバネ、１５  キセノン管、１６  反射笠、
１７  キセノン管ゴム、１８  トリガーコイル、１９  引張りバネ、２０  ロック部材、
２０ａ  検知部、２１  圧縮バネ、２２  検知スイッチ
【図１】
2016206570.tif 000003
【図２】
2016206570.tif 000004
【図３】
2016206570.tif 000005
【図４】
2016206570.tif 000006
【図５】
2016206570.tif 000007
【図６】
2016206570.tif 000008
【図７】
2016206570.tif 000009
【図８】
2016206570.tif 000010
【図９】
2016206570.tif 000011
【図１０】
2016206570.tif 000012